(57)【特許請求の範囲】
【請求項１】
給水源から供給される温水または水である湯水に抗菌作用のある金属イオンを供給する金属イオン発生手段と、
浴室天井部に設置されたノズルから前記金属イオンを含む前記湯水を前記浴室内に噴出する湯水噴出手段と、
前記金属イオン発生手段および前記湯水噴出手段の動作を制御する制御手段を備えた湯水噴出装置であって、
前記ノズルは、
ミストを噴出する吹出孔が浴室の壁面に向くように、
碗状をなすカバー部材に設けられた開口部から、前記ノズルの先端部を浴室側に露出させて設置され、
前記吹出孔が浴室の壁面に沿うようにして回動する
ことを特徴とする湯水噴出装置。
【請求項２】
給水源から供給される温水または水である湯水に抗菌作用のある金属イオンを供給する金属イオン発生手段と、
浴室天井部に回動または揺動可能に設置されたノズルから前記金属イオンを含む前記湯水を前記浴室内に噴出する湯水噴出手段と、
設定された運転モードに応じて、前記金属イオン発生手段および前記湯水噴出手段の動作を制御する制御手段を備えた湯水噴出装置と、
前記湯水噴出装置と連動して前記浴室内に空気を吹き出す空調手段とを備えた湯水噴出空調装置であって、
前記ノズルから噴出した前記金属イオンを含む湯水を、
前記空調手段より吹き出した前記空気により、前記壁面に衝突させるようにした
ことを特徴とする湯水噴出空調装置。
【請求項３】
前記湯水噴出装置、及び前記空調手段の制御により、
浴室全体、または局所的な位置でマイナスイオンを発生できる
ことを特徴とする請求項２に記載の湯水噴出空調装置。
【請求項４】
前記浴室天井部に設置された前記ノズルは、
回動可能なノズルと揺動可能なノズルの２系統のノズルを有しており、
選択された前記運転モードによって前記ノズルを使い分ける
ことを特徴とする請求項２または３に記載の湯水噴出空調装置。
【発明の詳細な説明】
【技術分野】
【０００１】
本発明は、温水または水である湯水を噴出して、浴室やシャワー室等の室内の加湿暖房を行う湯水噴出装置および湯水噴出空調装置に関する。
【背景技術】
【０００２】
従来より、温水をミストとして浴室内へ噴出する湯水噴出装置（ミストサウナ装置）が提案されている。このミストサウナ装置では、ノズルからの噴霧による加湿によって浴室内を中温高湿のミストサウナ状態にして入浴を行う（特許文献１参照）。
【０００３】
しかし、適当な温度と水分を有する中温高湿の浴室内はカビ菌等の繁殖の温床となっている。特に、ミストサウナ終了後には浴室内が水浸しになってしまう場合がある。そのため、カビ菌等の繁殖を防ぐ方法として、抗菌作用のある例えば銀イオンを含むミストを浴室内に噴出させて、浴室内の洗浄を行う方法がある。これにより、浴室内の殺菌・抗菌効果が得られる。
【０００４】
例えば、特許文献１および２には、銀イオン溶出ユニットを備えたミスト噴霧装置が提案されている。これらのミスト噴霧装置は、ノズルからのミストの噴出方向が調整できるように、ノズルが所定範囲で可動するように構成されている。
【０００５】
【特許文献１】特公平６−５９３０１号公報
【特許文献２】特開２００７−６１４５４号公報
【発明の開示】
【発明が解決しようとする課題】
【０００６】
しかしながら、特許文献２に開示されるミスト噴霧装置では、ノズルの可動範囲が対向する壁面方向に制限されており、浴室内の特定の部分にしかミストを噴出することができないという虞れがある。
【０００７】
そこで、本発明は、上記課題に鑑みてなされたものであり、その目的は、浴室内の洗浄および抗菌を可能とする湯水噴出装置および湯水噴出空調装置を提供することにある。
【課題を解決するための手段】
【０００８】
本発明の湯水噴出装置は、給水源から供給される温水または水である湯水に抗菌作用のある金属イオンを供給する金属イオン発生手段と、浴室天井部に設置されたノズルから前記金属イオンを含む前記湯水を前記浴室内に噴出する湯水噴出手段と、前記金属イオン発生手段および前記湯水噴出手段の動作を制御する制御手段を備えた湯水噴出装置であって、前記ノズルは、ミストを噴出する吹出孔が浴室の壁面に向くように、碗状をなすカバー部材に設けられた開口部から、前記ノズルの先端部を浴室側に露出させて設置され、前記吹出孔が浴室の壁面に沿うようにして回動することを特徴とするものである。
また、本発明の湯水噴出空調装置は、給水源から供給される温水または水である湯水に抗菌作用のある金属イオンを供給する金属イオン発生手段と、浴室天井部に回動または揺動可能に設置されたノズルから前記金属イオンを含む前記湯水を前記浴室内に噴出する湯水噴出手段と、設定された運転モードに応じて、前記金属イオン発生手段および前記湯水噴出手段の動作を制御する制御手段を備えた湯水噴出装置と、前記湯水噴出装置と連動して前記浴室内に空気を吹き出す空調手段とを備えた湯水噴出空調装置であって、前記ノズルから噴出した前記金属イオンを含む湯水を、前記空調手段より吹き出した前記空気により、前記壁面に衝突させるようにしたことを特徴とするものである。
【０００９】
また、ノズルに設けられた前記湯水を噴出する吹出孔は、前記室内の壁面方向に向けられており、前記制御手段は、前記ノズルが、前記湯水の噴出方向が前記室内の前記壁面に沿って移動する方向に回動するように動作させる。
【００１０】
本願発明では、浴室洗浄時において制御手段は、湯水噴出手段のノズルが回動または揺動させながら金属イオンを含む湯水を室内に噴出させる。これにより、金属イオンを含む湯水が室内の隣り合う（隣接した）壁面にかけられることになり、浴室全体の洗浄が行われる。さらには、浴室の壁面に噴出された金属イオンが乾燥して、壁面に金属物質が付着することにより、室内全体の殺菌、抗菌効果が得られ、カビ菌等の発生を抑制、防止することができる。
【００１１】
なお、本願発明において回動とは、ノズルが所定の軸周りの方向にも回転可能であること意味し、揺動とは、ノズルが所定の軸を支点として所定の範囲内で往復回転運動することを意味する。
【００１２】
また本願発明の湯水噴出空調装置は、上述した湯水噴出装置と、前記室内に空気を吹き出す空調手段とを備え、前記金属イオンを含む前記湯水が噴出された前記室内の前記壁面を、前記空調手段により前記空気を吹き出させることで、前記室内の前記壁面を乾燥させることを特徴とするものである。
【００１３】
このように、空調装置を用いることで、浴室の壁面を迅速かつ確実に乾燥させることができ、カビ菌等の発生を確実に抑制、防止することができる。
【発明の効果】
【００１４】
本発明によれば、抗菌作用のある金属イオンが溶出された湯水を室内全体に噴出させることで、室内の洗浄を行うと共に抗菌を図り、カビ菌等の発生を抑制、防止する。
【発明を実施するための最良の形態】
【００１５】
［第１の実施の形態］
以下、本発明の実施形態につき、図面を参照して説明する。
＜湯水噴出空調装置＞
図１（Ａ）は本発明の一実施形態に係る湯水噴出空調装置１の構成を示す図であり、図１（Ｂ）は湯水噴出空調装置１が設置された浴室１０１を上面から見た図である。
【００１６】
この湯水噴出空調装置１は、霧状にした温水または水である湯水（ミストＭ）を浴室１０１内に噴出するミスト発生装置２と、浴室１０１の暖房、換気等を行う空調モードを有する浴室空調装置３と、ミスト発生装置２、浴室１０１等に温水を給湯するヒートポンプ給湯装置（給湯源）４とを備えている。ミスト発生装置２および浴室空調装置３はそれぞれ浴室１０１の天井に配設され、またヒートポンプ給湯装置４は屋外に配置されている。
【００１７】
ミスト発生装置２は、湯水噴出手段の一例を構成し、このミスト発生装置２で使用する温水として給湯装置４より排出される温水が利用される。またミスト発生装置２は、電磁弁ユニット２Ｂと、この電磁弁ユニット２Ｂを駆動する電源部ユニット２Ｃと、ミストＭを噴出するノズルを備えたノズルユニット２Ａとから構成される。電磁弁ユニット２Ｂは、浴室１０１の天井裏に設置される。
【００１８】
電磁弁ユニット２Ｂには、給湯装置４から排出される温水の供給を受けるための給水配管１５ａと、ノズルユニット２Ａに温水を供給するためのノズル配管１５ｂと、温水を排水するためのドレン配管１５ｃとが接続されている。
【００１９】
浴室空調装置３は、空調手段の一例を構成し、その熱源として当該浴室空調装置３に内蔵した電気ヒータが利用される。浴室空調装置３の側面部には排気ダクト９が連結され、屋外に貫通した排気ダクト９の先端部には排気グリル９ａが連結される。
【００２０】
ミスト発生装置２および浴室空調装置３は、ミスト操作部５あるいは主操作部６の操作により選択された運転モードに応じて、浴室空調装置３単独あるいはミスト発生装置２と浴室空調装置３を連動させた制御を行う。
【００２１】
主操作部６は、浴室空調装置３に内蔵された制御部８に電気ケーブル６ａで接続されたリモートコントロール装置である。この主操作部６は、洗面脱衣所１０５の壁に取り付けられている。ミスト操作部５は、電源部ユニット２Ｃに内蔵された制御部（図１には図示せず）に電気ケーブル５ａで接続されたリモートコントロール装置である。このミスト操作部５は、浴室１０１の壁に取り付けられている。湯水噴出空調装置１は、空調手段と湯水噴出手段が別体のもののみならず、一体または隣接して設けられている一体的なものも含むものである。
【００２２】
また湯水噴出空調装置１は、運転モードとして例えば、入浴ミストモード、銀イオンミストモード、マイナスイオンモードおよび浴室洗浄モードを有している。入浴ミストモードでは、ミスト発生装置２によるミストＭの噴出と、浴室空調装置３による温風ＨＡの吹き出しを連動させて、浴室１０１内を中温高湿のミストサウナ状態とする。
【００２３】
銀イオンミストモードでは、銀イオンユニット６８を作動させることで、銀イオンが溶出されたミストＭを浴室１０１内に噴出し、浴室１０１内の抗菌を図る。このとき、ミスト操作部５のノズル回動ボタン１６２、ノズルスイングボタン１６３や主操作部６のノズル回動ボタン１６２を操作することにより、ミストノズル１１を回動、揺動させてミストＭを浴室１０１全体に噴出させたり、ミストノズル１１を所定位置で固定させてミストＭを局所的に噴出させることもできる。ミストノズル１１の所定位置は一度設定することにより記憶させておくこともできる。
【００２４】
マイナスイオンモードでは、ミストノズル１１から噴出されるミストＭを壁面１０１ｃに衝突させてミストＭを粉砕することで、浴室１０１内にマイナスイオンを発生させる。これにより、入浴者のリラックス効果を向上させる。このとき、ミスト操作部５や主操作部６を操作することにより、マイナスイオンを浴室１０１全体で発生させたり、局所的な位置で発生させたりすることができる。
【００２５】
浴室洗浄モードでは、ミストノズル１１を回動させながら銀イオンを含むミストＭを浴室１０１内に噴出させることにより、浴室１０１の壁面１０１ｃに銀または銀化合物を壁面１０１ｃに付着させて、浴室１０１内の洗浄を行う。これにより、浴室１０１内の抗菌を図ることができる。
【００２６】
また、湯水噴出空調装置１は、その他の運転モードとして暖房モード、換気モード、乾燥モードおよび涼風モードを有している。
上述した各モードには、ミスト操作部５や主操作部６に設けられた各モードに対応したボタンを選択、押下することにより切り換えることができる。
【００２７】
＜浴室空調装置＞
図２は、浴室空調装置３の構成を示す断面図である。図３は、浴室空調装置３の構成を示す分解斜視図である。
【００２８】
浴室空調装置３は、ファン部３２と、熱源としてのヒータ部３３とを備える。ファン部３２は、本体ケース３４に取り付けられている。ファン部３２は、回転駆動される多翼のファン３５と、このファン３５を回転駆動するファンモータ３６と、このファンモータ３６が取り付けられると共に、風路を形成するファンケース３７とを備えている。
【００２９】
ファン３５は縦向きに配置されている。ファンケース３７のファン３５の軸方向に沿った下面が開口し、吸込口３８とされている。また、ファンケース３７のファン３５の軸方向とは直交する方向に沿った一の側面が開口し、この開口部に風路切換部３９が備えられている。
【００３０】
風路切換部３９は風路を切り換えるダンパ４０を備える。ダンパ４０は後述するダンパモータの駆動力がカム４０ａを介して伝達され、軸４０ｂを支点に回転して開閉動作を行う。ファンケース３７は、風路切換部３９と連通して下面に吹出口４１を備えると共に、風路切換部３９と連通して一の側面に排気口４２を備えている。この場合、ダンパ４０の位置によって、吸込口３８から吹出口４１へ連通した風路、あるいは吸込口３８から排気口４２へ連通した風路が形成される。なお、吹出口４１に、風向を切り替える電動の図示しないルーバを備える構成としても良い。
【００３１】
ここで、図２において、ダンパ４０を全閉にしたときのダンパ４０の位置を循環位置Ａとする。ダンパ４０を全閉にすると、排気口４２への風路が遮断され、吸込口３８から吹出口４１へ連通した循環風路４３ａが形成される。
【００３２】
また、図２において、ダンパ４０を全開にしたときのダンパ４０の位置を換気位置Ｂとする。ダンパ４０を全開にすると、吹出口４１への風路が遮断され、吸込口３８から排気口４２へ連通した換気風路４３ｂが形成される。
【００３３】
さらに、図２においてダンパ４０を循環位置と換気位置の中間位置にしたときのダンパ４０の位置を循環換気位置Ｃとする。ダンパ４０を循環位置と換気位置の中間位置にすると、吸込口３８から吹出口４１へ連通した循環風路４３ａと、吸込口３８から排気口４２へ連通した換気風路４３ｂの双方が形成される。
【００３４】
ファンケース３７は、ヒータ部３３の上流側にイオン発生器４４を備える。イオン発生器４４は、ダンパ４０を循環位置あるいは循環換気位置とすることで形成される循環風路４３ａにイオン放出面が露出する。
【００３５】
イオン発生器４４は、正イオンと負イオンの両方あるいは負イオンを発生する。これにより、ファン部３２の運転と連動させて略同数の正イオンと負イオンを発生させ、略同数の正イオンと負イオンを含む空気を送風することで、循環する空気に含まれる浮遊細菌と、図１に示す浴室１０１の空気中の浮遊細菌の双方を除去して、カビの発生等を抑えることができる。
【００３６】
ヒータ部３３は、例えば電気ヒータで構成され、上述した吹出口４１近傍に設置される。図２に示すように、ダンパ４０の位置を循環位置にし、ファンモータ３６によりファン３５を回転駆動すると、空気が吸込口３８から吸い込まれ、循環風路４３ａを通り吹出口４１から吹き出す。ヒータ部３３に通電すると、ヒータ部３３が加熱することで吹出口４１を通る空気が温められ、温風ＨＡが吹出口４１から吹き出す。ここで、ヒータ部３３としては例えばＰＴＣ(Positive Temperature Coefficient)ヒータを使用できる。
【００３７】
ファンケース３７の吸込口３８に対応した部分に、温度検出センサ６９が取り付けられている。この温度検出センサ６９は、浴室１０１の温度を検出するためのものである。
【００３８】
本体ケース３４は、図３に示すように、下面が開口し、ファン部３２の吸込口３８と吹出口４１が露出するようにされている。この本体ケース３４の下面開口部に、フロントパネル２６が取り付けられる。
【００３９】
フロントパネル２６は、本体ケース３４に着脱できるように構成されている。このフロントパネル２６は、ファン部３２の吸込口３８と対向して吸込グリル４５を備えると共に、ファン部３２の吹出口４１と対向して吹出グリル４６を備える。また、フロントパネル２６の吸込グリル４５の裏側に、フィルタ４７が交換可能に取り付けられる。
【００４０】
本体ケース３４は、ファン部３２の排気口４２と連通する排気ダクト接続部４８を一の側面に備える。この排気ダクト接続部４８に、図１に示すように、排気ダクト９が接続される。
【００４１】
浴室空調装置３の動作を説明する。ファンモータ３６が回転駆動されると、ファン部３２のファン３５が回転する。ファン３５が回転すると、フロントパネル２６の吸込グリル４５を介して、ファン部３２の吸込口３８から浴室１０１の空気が吸い込まれる。
【００４２】
ダンパ４０の位置が図２に示す循環位置Ａにあると、ファン部３２において吸込口３８から吹出口４１への循環風路４３ａが形成されるので、吸込口３８から吸い込まれた空気は、循環風路４３ａを通り吹出口４１からフロントパネル２６の吹出グリル４６を介して浴室１０１内に吹き出される。
【００４３】
ヒータ部３３は循環風路４３ａの吹出口４１に配置されるので、ヒータ部３３が駆動されることで、循環風路４３ａを通る空気は、このヒータ部３３で温められて吹出グリル４６から吹き出す。これにより、ダンパ４０を循環位置Ａとして、ファンモータ３６が回転駆動されると、ヒータ部３３を駆動した場合は、浴室１０１内の空気を循環させながら、浴室１０１内に温風ＨＡを吹き出させることができる。
【００４４】
ダンパ４０の位置が図２に示す換気位置Ｂにあると、ファン部３２において吸込口３８から排気口４２への換気風路４３ｂが形成されるので、吸込口３８から吸い込まれた空気は、換気風路４３ｂおよび排気口４２を通り、さらに、図１に示す排気ダクト９を通って排気グリル９ａから屋外へ排気される。これにより、ダンパ４０を換気位置として、ファンモータ３６が回転駆動されると、浴室１０１内の湯気や湿気が排気される。
【００４５】
ダンパ４０の位置が図２に示す循環換気位置Ｃにあると、ファン部３２において吸込口３８から吹出口４１への循環風路４３ａおよび吸込口３８から排気口４２への換気風路４３ｂの双方が形成されるので、吸込口３８から吸い込まれた空気は、一部は循環風路４３ａを通り吹出口４１からフロントパネル２６の吹出グリル４６を介して浴室１０１内に吹き出され、その他は換気風路４３ｂおよび排気口４２を通り、さらに、図１に示す排気ダクト９を通って排気グリル９ａから屋外へ排気される。
【００４６】
これにより、ダンパ４０を循環換気位置として、ファンモータ３６が回転駆動されると、ヒータ部３３が非駆動の場合は、浴室１０１内の空気を循環させながら、浴室１０１内の湯気や湿気が排気される。また、ヒータ部３３を駆動した場合は、浴室１０１内の空気を循環させてこの浴室１０１内に温風ＨＡを吹き出しながら、浴室１０１内の湯気や湿気が排気される。
【００４７】
＜ミスト発生装置＞
次に、ミスト発生装置２の構成について説明する。図４（Ａ）はノズルユニット２Ａの正面の構成を示す断面図であり、図４（Ｂ）はノズルユニット２Ａの下面の構成を示す図であり、図４（Ｃ）は、ノズルユニット２Ａの動作を示す図である。なお、図４（Ｃ）では便宜上、筐体１７０およびカバー部材１７４を省略して示している。ミスト発生装置２は、上述したように、ノズルユニット２Ａと、電磁弁ユニット２Ｂと、電源部ユニット２Ｃとから構成される。
【００４８】
（ノズルユニット）
ノズルユニット２Ａは、図１に示すように、浴室１０１の天井裏面の浴室空調装置３と電磁弁ユニット２Ｂとの間に配設され、電磁弁ユニット２Ｂから延びるノズル配管１５ｂに接続されている。このノズルユニット２Ａは、図４（Ａ）〜図４（Ｃ）に示すように、ミストＭを噴出するミストノズル１１と、ミストノズル１１に湯水を供給する供給配管１２と、ミストノズル１１を保護するカバー部材１７４と、ミストノズル１１を収容する筐体１７０と、ミストノズル１１の下面を被覆するフロントパネル１７２とを有する。
【００４９】
筐体１７０は、下端側が開口された略直方体状をなす箱体であって、筐体１７０の下端部には外方向に延びるフランジ部１７０ａが設けられる。
【００５０】
供給配管１２は、筐体１７０の上面の略中央部に取り付けられた管継ぎ手１８２の筐体１７０内部側の一端部に連結される。管継ぎ手１８２の他端側にはノズル配管１５ｂが連結され、管継ぎ手１８２を介してノズル配管１５ｂからの湯水が供給配管１２に供給される。
【００５１】
ミストノズル１１は、ノズル本体１１ａと、ノズル本体１１ａの先端部に着脱自在に取り付けられたノズル吹出部１１ｂとを有する。ノズル本体１１ａは、供給配管１２の先端部に設けられた図示しない軸受け部に連結され、ノズル配管１５ｂからの湯水が供給配管１２を介して供給される。ノズル吹出部１１ｂは、その略中間部で折り曲げられており、その先端部に形成されたミストＭを噴出する吹出孔１１ｃが浴室１０１の壁面１０１ｃに向くように構成される。これにより、吹出孔１１ｃから吹き出されるミストＭを浴室１０１の壁面１０１ｃに付着させることができる。なお、本例ではノズル吹出部１１ｂを折り曲げることで浴室１０１の壁面１０１ｃにミストＭを噴出するようにしたが、吹出孔１１ｃをノズル吹出部１１ｂの側面に設けることで、吹出孔１１ｃが浴室１０１の壁面１０１ｃ方向に向くようにし、ミストＭを浴室１０１の壁面１０１ｃに噴出させるようにしても良い。
【００５２】
カバー部材１７４は、碗状をなす平板部材であって、ミストノズル１１と対向した位置に穿設された開口部１８６にノズル吹出部１１ｂを嵌め込むようにして取り付けられる。このとき、ミストノズル１１のノズル吹出部１１ｂはカバー部材１７４の開口部１８６から浴室１０１側に露出している。
【００５３】
フロントパネル１７２は、筐体１７０の下端側の開口部を覆うような大きさを有し、筐体１７０のフランジ部１７０ａ（または天井面）に着脱可能に取り付けられる。このフロントパネル１７２には開口部１８８が穿設され、フロントパネル１７２を筐体１７０に装着したときに、開口部１８８からミストノズル１１およびカバー部材１７４が浴室１０１側に露出するような構成とされる。
【００５４】
また、ノズルユニット２Ａは、ミストノズル１１を所定方向に回動させるためのノズル駆動モータ１７６を有する。ノズル駆動モータ１７６の軸の一端部には平面視円形状をなす第２のギア１８０が固定して取り付けられる。ミストノズル１１と供給配管１２との連結部には、平面視円形状をなす第１のギア１７８が設けられ、この第１のギア１７８は第２のギア１８０と噛み合うようにしてミストノズル１１に固定して取り付けられる。これにより、ノズル駆動モータ１７６を駆動させることで第１および第２のギア１７８，１８０を介してミストノズル１１が所定方向に回動する（図４（Ｃ）矢印方向）。本例では、ミストノズル１１は、ミストノズル１１の鉛直方向に延びる軸（軸心）Ｏ周りに回動可能となっている。これにより、図１（ｂ）に示すように、ミストノズル１１の吹出孔１１ｃが浴室１０１の壁面１０１ｃ（１０１ｃ１,１０１ｃ２,１０１ｃ３．１０１ｃ４）に沿うようにして回動し、浴室１０１の四方のぞれぞれの壁面や隣り合う壁面にも噴出可能となっている。
【００５５】
（電磁弁ユニット）
次に、電磁弁ユニット２Ｂについて説明する。図５は、電磁弁ユニット２Ｂの
構成を示す図である。
【００５６】
電磁弁ユニット２Ｂは、図５に示すように、給湯装置４（図１参照）から延びる給水配管１５ａが接続される給湯配管接続部１６ａと、ノズルユニット２Ａに延びるノズル配管１５ｂが接続される供給配管接続部１６ｂと、ドレン配管１５ｃが接続されるドレン配管接続部１６ｃを備える。
【００５７】
電磁弁ユニット２Ｂは、給湯配管接続部１６ａと供給配管接続部１６ｂとの間が供給配管１７で接続され、給湯装置４とノズルユニット２Ａとの間を接続している。また、電磁弁ユニット２Ｂは、供給配管１７から分岐した排水配管１８がドレン配管接続部１６ｃと接続され、給湯装置４とドレン配管１５ｃとの間を接続している。
【００５８】
電磁弁ユニット２Ｂは、排水配管１８との分岐部１７ａより上流側の供給配管１７に、給湯の有無を切り替える電磁弁１９ａを備えると共に、分岐部１７ａより下流側の供給配管１７に、温水または水の供給先をノズルユニット２Ａに切り替える電磁弁１９ｂを備える。また、供給配管１７の電流弁１９ｂよりもさらに下流側には銀イオンユニット６８が設けられる。銀イオンユニット６８は金属イオン発生手段の一例を構成する。
【００５９】
さらに、電磁弁ユニット２Ｂは、温水または水の供給先をドレン配管１５ｃに切り替える電磁弁１９ｃを、排水配管１８に備える。
【００６０】
また、電磁弁ユニット２Ｂは、電磁弁１９ａと分岐部１７ａとの間の供給配管１７に、供給配管１７を流れる温水または水の温度を検出する温度検出センサ２０を備える。この温度検出センサ２０の検出結果に基づき、電磁弁１９ａ，１９ｂ，１９ｃの開閉を制御している。
【００６１】
ここで、供給配管１７に設ける電磁弁１９ａおよび電磁弁１９ｂの設置高さより、排水配管１８に設ける電磁弁１９ｃの設置高さが低くなるように、供給配管１７と排水配管１８の流路を構成することで、流路中に残水が滞留しないようにしている。
【００６２】
図６および図７は、電磁弁ユニット２Ｂの動作を示す図である。
入浴ミストモード時は、図６（Ａ）に示すように、電磁弁１９ａと電磁弁１９ｂは開き、電磁弁１９ｃは閉じ、銀イオンユニット６８をオフにする。これにより、図１に示す給湯装置４から供給された温水ＨＷが、供給配管１７を流れてノズルユニット２Ａに供給され、ノズルユニット２ＡからミストＭが噴出される。
【００６３】
銀イオンミストモード時は、図６（Ｂ）に示すように、電磁弁１９ａと電磁弁１９ｂは開き、電磁弁１９ｃは閉じ、銀イオンユニット６８をオンにする。これにより、給湯装置４から供給された温水ＨＷが、供給配管１７および銀イオンユニット６８を経由してノズルユニット２Ａに供給され、ノズルユニット２Ａから銀イオンを含むミストＭが浴室１０１内に噴出される。
【００６４】
浴室洗浄モード時は、図７（Ａ）に示すように、電磁弁１９ａと電磁弁１９ｂは開き、電磁弁１９ｃは閉じ、銀イオンユニット６８をオンにする。これにより、給湯装置４から供給された温水ＨＷが、供給配管１７および銀イオンユニット６８を経由してノズルユニット２Ａに供給され、ノズルユニット２Ａから銀イオンを含むミストＭが浴室１０１内に噴出される。
【００６５】
排水時は、図７（Ｂ）に示すように、電磁弁１９ａと電磁弁１９ｃを開き、電磁弁１９ｂを閉じ、銀イオンユニット６８をオフにする。これにより、給湯装置４から供給された温水ＨＷが、供給配管１７および排水配管１８を経由してドレン配管１５ｃに排水される。
【００６６】
（ミスト操作部）
図８（Ａ）は入浴ミストモードから浴室洗浄モードに自動的に切り換わる場合のミスト操作部５の一例を示す構成図である。
【００６７】
ミスト操作部５は、図８（Ａ）に示すように、入浴ミストモードの運転および運転停止を選択するためのミストボタン１６０と、銀イオンミストモードの運転および運転停止を選択するための銀イオンミストボタン１６４とを備えている。これらのボタン１６０，１６４の近傍には、これらのボタン１６０，１６４の選択時に発光（点灯）制御されるＬＥＤ(Light Emitting Diode)のランプ１６０ａ，１６４ａが設けられる。
【００６８】
また、ミスト操作部５は、入浴ミストモードまたは銀イオンミストモード時に、ミストＭの噴出方向をミストノズル１１を回動させて調節するためのノズル回動ボタン１６２を備えている。ノズル回動ボタン１６２の近傍にはこのノズル回動ボタン１６２の選択時に発光するランプ１６２ａが設けられる。ノズル回動ボタン１６２は、このノズル回動ボタン１６２が押されている間だけ回動するように制御しても良いし、ノズル回動ボタン１６２が押される毎に回動の開始および回動の停止が切り換わるように制御しても良い。なお、後述するノズルスイングボタン、ルーバボタンについても同様の動作により制御することができる。
【００６９】
また、本例では、後述するように入浴ミストモードを選択した場合には、入浴ミストモードが終了した後に自動的に浴室洗浄モードに移行するように制御されるため、浴室洗浄モードに移行したことを入浴者に報知するためのＬＥＤ等のランプ１６６ａが設けられる。浴室洗浄モードに切り換わると、ランプ１６６ａが点灯または点滅する。
【００７０】
図８（Ｂ）は入浴ミストモードから浴室洗浄モードに手動で切り換える場合のミスト操作部５の一例を示す構成図である。上述した図８（Ａ）に示すミスト操作部５の構成と異なる点についてのみ説明する。
【００７１】
ミスト操作部５は、図８（Ｂ）に示すように、浴室洗浄モードの運転および運転停止を選択するための浴室洗浄ボタン１６６を備えている。この浴室洗浄ボタン１６６の近傍には、このボタン１６６の選択時に発光（点灯）制御されるＬＥＤ(Light Emitting Diode)のランプ１６６ａが設けられる。なお、以下の説明では、図８（Ａ）に示すミスト操作部５を用いた場合の例について説明する。
【００７２】
（主操作部）
図９は主操作部６の一例を示す構成図である。主操作部６は、運転モードを選択する操作ボタンとして、浴室空調装置３単体での暖房モードの開始および運転停止と、ミスト発生装置２を連動させた入浴ミストモードの運転および運転停止を選択する暖房運転選択ボタン８１を備える。また、換気モードの開始および運転停止を選択する換気運転選択ボタン８２と、乾燥モードの開始および運転停止を選択する乾燥運転選択ボタン８３と、涼風モードの開始および運転停止を選択する涼風運転選択ボタン８４を備える。さらに、所定の換気風量で常時換気を行う２４時間換気モードを選択する２４時間換気運転選択ボタン８５と、全ての制御を停止させる停止ボタン８６を備える。そして、入浴ミストモードや銀イオンミストモード時にミストＭの噴出方向を調整するためのノズル回動ボタン８７を備える。
【００７３】
また、主操作部６は、各操作ボタンで選択された運転モードおよび各運転モードで設定される風量、さらに、浴室１０１内の状態等を入浴者等に報知する報知手段として、暖房運転選択ボタン８１と対応させたミスト運転ランプ８１ａと、選択できる暖房の強弱の度合に応じて、例えば強暖房運転ランプ８１ｂと弱暖房運転ランプ８１ｃを備える。
【００７４】
また、換気運転選択ボタン８２と対応させた換気運転ランプ８２ａと、乾燥運転選択ボタン８３と対応させた乾燥運転ランプ８３ａと、涼風運転選択ボタン８４と対応させた涼風運転ランプ８４ａと、２４時間換気運転選択ボタン８５と対応させた２４時間換気運転ランプ８５ａと、イオン運転ランプ８８を備える。
【００７５】
なお、各運転モードで風量等が選択できる場合は、選択できる風量の強弱等に応じて、各操作ボタンに対応させて複数の運転ランプを備える。さらに、主操作部６は、現在時刻等が表示される表示部８９を備える。
【００７６】
なお、主操作部６の暖房運転選択ボタン８１で選択できる暖房の強弱も、「強」、「中」、「弱」といった３段階でも良く、それ以上の段階であっても良い。また、選択できる暖房の強弱に応じて、暖房運転ランプとして、例えば中暖房運転ランプを備えても良い。
【００７７】
また、暖房運転の強弱の切り替えは、例えばファン風量を切り替えることで行っているが、ファン風量の切り替えだけでなく、ヒータ部３３におけるヒータの発熱量およびヒータの通電時間や、ヒータ通電を入切する温度を変更するようにしたものであっても良い。
【００７８】
＜浴室空調装置およびミスト発生装置の制御系＞
図１０は、浴室空調装置３およびミスト発生装置２の制御系の構成を示している。
浴室空調装置３は、ＣＰＵ(Central Processing Unit)を有する制御部８を備えている。上述した主操作部６は、電気ケーブル６ａを介して、この浴室空調装置３の制御部８に接続されている。この制御部８には、上述したように、吸込口３８に対応して取り付けられた、浴室１０１内の温度を検出するための温度検出センサ６９が接続される。また、制御部８には、ファンモータ３６、ダンパモータ４０ｃ、ヒータ部３３およびイオン発生器４４のそれぞれが接続され、制御部８からファンモータ３６、ダンパモータ４０ｃ、ヒータ部３３およびイオン発生器４４のそれぞれに動作を制御するための制御信号が供給される。
【００７９】
また、浴室空調装置３は人感検出センサ４９を備えている。人感検出センサ４９は制御部８に接続され、浴室１０１内に入浴者が存在するか否かを検出し、検出に基づく信号を制御部８に供給する。人感検出センサ４９には、例えば赤外線センサが用いられ（特開平１０−１４２３５１号公報参照）、浴室１０１内、例えば浴室空調装置３のフロントパネル２６に取り付けられる。
【００８０】
また、浴室照明スイッチ６９Ｂは制御部８に接続され、入浴者によって浴室照明スイッチ６９Ｂがオンまたはオフされたか否かを示す信号を制御部８に供給する。
【００８１】
また、電源部ユニット２Ｃは、電源部２Ｂａと、電磁弁駆動部２Ｂｂと、ＣＰＵを有する制御部（制御手段）２Ｂｃとを備えている。電源部２Ｂａは、家庭用交流電源、例えばＡＣ１００Ｖから、電磁弁を駆動するために使用する２４Ｖの直流電圧、さらにはノズル駆動モータ１７６を駆動するための直流電圧等を生成する。
【００８２】
電磁弁駆動部２Ｂｂは、制御部２Ｂｃによる制御の下、電源部２Ｂａで生成される２４Ｖの直流電圧を用いて、電磁弁ユニット２Ｂを構成する電磁弁１９ａ，１９ｂ，１９ｃを駆動する。この場合、電磁弁１９ａ，１９ｂ，１９ｃは、それぞれ、２４Ｖの直流電圧が印加されることで開状態とされる。
【００８３】
制御部２Ｂｃには、上述したように、電磁弁ユニット２Ｂに取り付けられた温度検出センサ２０および銀イオンユニット６８が接続される。上述したミスト操作部５は、電気ケーブル５ａを介して、この電源部ユニット２Ｃの制御部２Ｂｃに接続される。また、制御部２Ｂｃにはミストノズル１１を回動駆動するためのノズル駆動モータ１７６が接続される。制御部２Ｂｃから供給される制御信号に基づいてノズル駆動モータ１７６が駆動され、ミストノズル１１が回動可能に制御される。
【００８４】
また、浴室空調装置３の制御部８と電源部ユニット２Ｃの制御部２Ｂｃとは互いに接続され、浴室空調装置３とミスト発生装置２との連係動作が可能となされている。
【００８５】
＜湯水噴出空調装置の動作（その１）＞
次に、湯水噴出空調装置１の動作について説明する。図１１および図１２は、人感検出センサ４９により、浴室１０１内の人の有無を検出し、この情報に基づいて浴室洗浄モードに自動的に切り替える場合の湯水噴出空調装置１の動作を示すフローチャートである。浴室洗浄モードに自動的に切り替える設定方法としては、例えば入浴ミストボタン１６０を押した後、ランプ１６０ａが点滅している所定時間内に銀イオンミストボタン１６４を押すことで設定できるようにしても良いし、その逆の手順であっても良い。また、両方の入浴ミストボタン１６０および銀イオンミストボタン１６４を同時に押すことにより設定できるようにしても良い。
【００８６】
ステップＳ１０で、ユーザによってミスト操作部５の入浴ミストボタン１６０が押されると、入浴ミストモードが開始される。入浴ミストモードの温風発生処理では、浴室空調装置３のヒータ部３３に通電され、このヒータ部３３が加熱されると共に、ファンモータ３６に通電され、ファン３５が回転される。ファン３５の回転により、吸込口３８から吸い込まれた空気は、循環風路４３ａを通り、ヒータ部３３で暖められて、吹出口４１からフロントパネル２６の吹出グリル４６を介して浴室１０１内に吹き出される。また、ミスト発生処理では、給湯装置４から電磁弁ユニット２Ｂの給水配管１５ａに温水が供給され、さらに電磁弁ユニット２Ｂを介して供給配管１２に供給される。供給配管１２に供給された温水は、ミストノズル１１に配給され、浴室１０１内にミストＭとして噴出される。
【００８７】
ステップＳ２０でミスト発生装置２の制御部２Ｂｃは、ユーザによってミスト操作部５の入浴ミストボタン１６０が押されると、浴室空調装置３の暖房運転を停止すると共に、ミスト発生装置２のミスト噴出運転を停止する。
【００８８】
ステップＳ３０でミスト発生装置２の制御部２Ｂｃは、人感検出センサ４９により、浴室１０１内に入浴者が存在するか否かを判断する。つまり、入浴者が浴室１０１から退出したか否かを判断する。浴室１０１内に入浴者が存在しないと判断したときにはステップＳ４０に進み、浴室１０１内に入浴者が存在すると判断したときには継続して入浴者の有無を検出する。
【００８９】
ステップＳ４０でミスト発生装置２の制御部２Ｂｃは、浴室１０１内に入浴者がいないと判断したときには、浴室洗浄モードを開始させる。本例の湯水噴出空調装置では、入浴ミストモードが終了した後に、浴室１０１内に入浴者が存在しないときには、ミスト操作部５の操作の有無に関らず、自動的に浴室洗浄モードに移行するようにプログラムされている。浴室洗浄モードは、銀イオンミストＧＭを浴室１０１内に噴出する洗浄工程と、噴出した銀イオンミストＧＭを乾燥させる乾燥工程とに分かれており、まず洗浄工程が行われる。洗浄工程では、ミストノズル１１を供給配管１２の軸Ｏ周りに回動させながら、ノズル吹出部１１ｂから銀イオンミストＧＭを噴出させて、浴室１０１の壁面１０１ｃに銀イオンミストＧＭを付着させる。このとき、ミスト操作部５のランプ１６６ａが点灯する（図８参照）。
【００９０】
ステップＳ５０でミスト発生装置２の制御部２Ｂｃは、洗浄工程中において、浴室１０１内に入浴者が存在するか否かを人感検出センサ４９により判断する。これは、浴室洗浄モード中であっても、浴室１０１内に人が侵入する場合があるからである。浴室１０１内に入浴者が存在すると判断したときにはステップＳ６０に進み、浴室１０１内に入浴者が存在しないと判断したときにはステップＳ７０に進む。
【００９１】
ステップＳ６０では、浴室１０１内に人の存在を検出すると、ミストノズル１１からのミストＭの噴出を停止するノズル噴出停止モード、またはミストノズル１１から噴出されるミストＭの噴出方向を変更するノズル噴出方向変更モードに移行させる。各モードの詳細については後述する。
【００９２】
ステップＳ７０でミスト発生装置２の制御部２Ｂｃは、浴室１０１内に人が存在しないと判断したときには、浴室洗浄モードの洗浄工程の運転時間が所定時間、例えば５分経過したか否かを判断する。所定時間が経過したと判断したときにはステップＳ８０に進み、所定時間経過していないと判断したときにはステップＳ５０に戻り、再度浴室１０１内の人の有無を検出する。
【００９３】
ステップＳ８０でミスト発生装置２の制御部２Ｂｃは、浴室洗浄モードの洗浄工程を停止させる。具体的には、ミストノズル１１の回動を停止させると共に、ノズル吹出部１１ｂからの銀イオンミストＧＭの噴出を停止する。さらに、ミスト操作部５のランプ１６４ａを消灯する（図８参照）。
【００９４】
ステップＳ９０でミスト発生装置２の制御部２Ｂｃは、浴室洗浄モードが終了すると、続けて乾燥工程を開始させる。乾燥工程では、浴室空調装置３の制御部８は、ミスト発生装置２からの乾燥工程開始に基づく制御信号が供給されると、ファンモータ３６を駆動させてファン３５を回転させると共に、ダンパモータを駆動させてダンパ４０を循環換気位置Ｃ（図２参照）に回動させる。また、ファン３５の駆動により浴室空調装置３内の循環風路４３ａに前述のイオン発生器４４によりイオンを発生させる。これにより、正負イオンを含む温風ＨＡが浴室１０１内の全体に吹き出されると共に、浴室１０１内の空気が排気ダクト９（図１参照）を介して外部に排出される。
【００９５】
ステップＳ１００でミスト発生装置２の制御部２Ｂｃは、乾燥工程の運転時間が所定時間、例えば５分経過したか否かを判断する。所定時間が経過したと判断したときにはステップＳ１１０に進み、所定時間経過していないと判断したときには乾燥工程の運転を継続する。
【００９６】
ステップＳ１１０でミスト発生装置２の制御部２Ｂｃは、乾燥工程の運転を停止させる。ミスト発生装置２からの乾燥工程停止に基づく制御信号が供給されると、浴室空調装置３の制御部８は、ファンモータ３６の駆動を停止させると共に、イオン発生器４４の作動を停止する。
【００９７】
（ノズル噴出停止モード）
次に、ノズル噴出停止モードについて説明する。
図１２（Ａ）に示すように、洗浄工程中に浴室１０１内で人の存在が検出された場合、ノズル噴出停止モードでは、まず、ステップＳ６１でミスト発生装置２の制御部２Ｂｃは、ミストノズル１１からのミストＭの浴室１０１内への噴出を停止すると共にミストノズル１１の回動も停止させる。
【００９８】
ステップＳ６２でミスト発生装置２の制御部２Ｂｃは、人感検出センサ４９により浴室１０１内に人が存在するか否かを判断する。浴室１０１内に入浴者が存在しないと判断したときには図１１のステップ４０に進み、浴室１０１内に人が存在すると判断したときにはステップＳ６３に進む。
【００９９】
ステップＳ６３でミスト発生装置２の制御部２Ｂｃは、洗浄工程の運転時間が所定時間、例えば５分経過したか否かを判断する。浴室洗浄モードの運転時間が所定時間経過したと判断したときには図１１のステップ８０に進み、所定時間経過していないと判断したときにはステップＳ６２に戻り、再度浴室１０１内の人の有無を検出する。
【０１００】
（ノズル噴出方向変更モード）
次に、ノズル噴出方向変更モードについて説明する。  
図１２（Ｂ）に示すように、洗浄工程中に浴室１０１内で人の存在が検出された場合、ノズル噴出方向変更モードでは、まず、ステップＳ６４でミスト発生装置２の制御部２Ｂｃは、回動しているミストノズル１１を所定方向で停止させ、ミストノズル１１から噴出されるミストＭの噴出方向を変更する。例えば、図１に示すように、入浴者が洗面脱衣所１０５から浴室１０１内に入室してくる場合には、ミストＭが洗面脱衣所１０５側の洗い場１０１ｂ方向に噴出されないように、ミストノズル１１の向きを例えば洗い場１０１ｂとは反対側の浴槽１０１ａ方向に変更し、ミストＭを浴槽１０１ａ側に噴出させる。
【０１０１】
ステップＳ６５でミスト発生装置２の制御部２Ｂｃは、人感検出センサ４９により浴室１０１内に人が存在するか否かを判断する。浴室１０１内に人が存在しないと判断したときには図１１のステップＳ４０に進み、浴室１０１内に入浴者が存在すると判断したときにはステップＳ６６に進む。
【０１０２】
ステップＳ６６でミスト発生装置２の制御部２Ｂｃは、洗浄工程の運転時間が所定時間、例えば５分経過したか否かを判断する。洗浄工程の運転時間が所定時間経過したと判断したときには図１１に示すステップＳ８０に進み、所定時間経過していないと判断したときにはステップＳ６５に戻り、再度浴室１０１内の人の有無を検出する。このようにして、浴室洗浄モードの一連の動作が終了する。
【０１０３】
＜湯水噴出空調装置の動作（その２）＞
次に、浴室照明スイッチ６９Ｂにより、浴室１０１内の人の有無を検出し、この情報に基づいて浴室洗浄モードに自動的に切り替える場合の湯水噴出空調装置１の動作について説明する。図１３および図１４は、浴室照明スイッチ６９Ｂを用いた場合の湯水噴出空調装置１の動作を示すフローチャートである。なお、上述した人感検出センサ４９を用いた場合の動作と共通する動作については省略して説明する。
【０１０４】
ステップＳ２００で、ユーザによってミスト操作部５の入浴ミストボタン１６０が押されると、入浴ミストモードが開始される。入浴ミストモードでは、浴室空調装置３の吹出口４１から温風ＨＡを吹き出させると共に、ミスト発生装置２のミストノズルから浴室１０１内にミストＭを噴出させる。
【０１０５】
ステップＳ２１０でミスト発生装置２の制御部２Ｂｃは、ユーザによってミスト操作部５の入浴ミストボタン１６０が押されると、浴室空調装置３の暖房運転を停止すると共に、ミスト発生装置２のミスト噴出運転を停止する。
【０１０６】
ステップＳ２２０でミスト発生装置２の制御部２Ｂｃは、浴室照明スイッチ６９Ｂがオフになったか否かを判断する。つまり、入浴者が照明装置を消灯させて、浴室１０１から退出したか否かを判断する。浴室照明スイッチ６９Ｂがオフになったと判断したときにはステップＳ２３０に進み、浴室照明スイッチ６９Ｂがオフになっていないと判断したときには継続して浴室照明スイッチ６９Ｂがオフされたか否かを検出する。
【０１０７】
ステップＳ２３０でミスト発生装置２の制御部２Ｂｃは、浴室照明スイッチ６９Ｂのオフにされてから所定時間、例えば５分経過したか否かを判断する。これは、遅延モードとして機能し、入浴者が浴室１０１内の浴室照明スイッチ６９Ｂをオフにしてから浴室１０１外に退出するまでに、ある程度時間を要する場合を考慮している。所定時間経過したと判断したときにはステップＳ２４０に進み、所定時間経過していないと判断したときには所定時間経過するまで時間をカウントする。
【０１０８】
ステップＳ２４０でミスト発生装置２の制御部２Ｂｃは、浴室照明スイッチ６９Ｂがオフになった、つまり浴室１０１内に入浴者がいないと判断したときには、浴室洗浄モードを開始させる。本例の場合も自動的に入浴ミストモードから浴室洗浄モードに移行するように制御される。浴室洗浄モードの洗浄工程では、ミストノズル１１が供給配管１２の軸Ｏ周りに回動させながら、ノズル吹出部１１ｂから銀イオンミストＧＭを噴出させて、浴室１０１の壁面１０１ｃに銀イオンミストＧＭを付着させる。
【０１０９】
ステップＳ２５０でミスト発生装置２の制御部２Ｂｃは、洗浄工程中において、浴室照明スイッチ６９Ｂのオンにされたか否かを判断する。浴室照明スイッチ６９Ｂのオンにされたと判断したときにはステップＳ２６０に進み、浴室照明スイッチ６９Ｂのオンにされていないと判断したときにはステップＳ２７０に進む。
【０１１０】
ステップＳ２６０では、ミストノズル１１からのミストＭの噴出を停止するノズル噴出停止モード、またはミストノズル１１から噴出されるミストＭの噴出方向を変更するノズル噴出方向変更モードに移行させる。各モードの詳細については後述する。
【０１１１】
ステップＳ２７０でミスト発生装置２の制御部２Ｂｃは、浴室照明スイッチ６９Ｂのオンにされていないと判断したときには、浴室洗浄モードの洗浄工程の運転時間が所定時間、例えば５分経過したか否かを判断する。所定時間が経過したと判断したときにはステップＳ２８０に進み、所定時間経過していないと判断したときにはステップＳ２５０に戻り、再度浴室照明スイッチ６９Ｂがオンになったか否かを検出する。
【０１１２】
ステップＳ２８０でミスト発生装置２の制御部２Ｂｃは、浴室洗浄モードの洗浄工程を停止させる。具体的には、ミストノズル１１の回動を停止させると共に、ノズル吹出部１１ｂからの銀イオンミストＧＭの噴出を停止する。
【０１１３】
ステップＳ２９０でミスト発生装置２の制御部２Ｂｃは、浴室洗浄モードが終了すると、続けて乾燥工程を開始させる。乾燥工程では、浴室空調装置３の制御部８は、ミスト発生装置２からの乾燥工程開始に基づく制御信号が供給されると、ファンモータ３６を駆動させてファン３５を回転させると共に、ダンパモータを駆動させてダンパ４０を循環換気位置Ｃ（図２参照）に回動させる。また、ファン３５の駆動により浴室空調装置３内の循環風路４３ａにイオン発生器４４を作動させて正イオンおよび負イオンを発生させる。これにより、正負イオンを含む温風ＨＡが浴室１０１内の全体に吹き出されると共に、浴室１０１内の空気が排気ダクト９（図１参照）を介して外部に排出される。
【０１１４】
ステップＳ３００でミスト発生装置２の制御部２Ｂｃは、乾燥工程の運転時間が所定時間、例えば５分経過したか否かを判断する。所定時間が経過したと判断したときにはステップＳ３１０に進み、所定時間経過していないと判断したときには乾燥工程の運転を継続する。
【０１１５】
ステップＳ３１０でミスト発生装置２の制御部２Ｂｃは、乾燥工程の運転を停止させる。浴室空調装置３の制御部８は、ミスト発生装置２からの乾燥工程停止に基づく制御信号が供給されると、ファンモータ３６の駆動を停止させると共に、イオン発生器４４の作動を停止する。
【０１１６】
（ノズル噴出停止モード）
次に、ノズル噴出停止モードについて説明する。
図１４（Ａ）に示すように、洗浄工程中に浴室照明スイッチ６９Ｂがオンになった場合、ノズル噴出停止モードでは、まず、ステップＳ２６１でミスト発生装置２の制御部２Ｂｃは、ミストノズル１１からのミストＭの浴室１０１内への噴出を停止すると共にミストノズル１１の回動も停止させる。
【０１１７】
ステップＳ２６２でミスト発生装置２の制御部２Ｂｃは、浴室照明スイッチ６９Ｂがオフになったか否かを判断する。浴室照明スイッチ６９Ｂがオフになったと判断したときには図１３のステップ２４０に進み、浴室照明スイッチ６９Ｂがオフになっていないと判断したときにはステップＳ２６３に進む。
【０１１８】
ステップＳ２６３でミスト発生装置２の制御部２Ｂｃは、洗浄工程の運転時間が所定時間、例えば５分経過したか否かを判断する。浴室洗浄モードの運転時間が所定時間経過したと判断したときには図１３のステップ２８０に進み、所定時間経過していないと判断したときにはステップＳ２６２に戻り、再度浴室照明スイッチ６９Ｂがオフになったか否かを検出する。
【０１１９】
（ノズル噴出方向変更モード）
次に、ノズル噴出方向変更モードについて説明する。
図１４（Ｂ）に示すように、洗浄工程中に浴室照明スイッチ６９Ｂがオンになった場合、ノズル噴出方向変更モードでは、まず、ステップＳ２６４でミスト発生装置２の制御部２Ｂｃは、回動しているミストノズル１１を所定方向で停止させ、ミストノズル１１から噴出されるミストＭの噴出方向を変更する。
【０１２０】
ステップＳ２６５でミスト発生装置２の制御部２Ｂｃは、浴室照明スイッチ６９Ｂがオフになったか否かを判断する。浴室照明スイッチ６９Ｂがオフになったと判断したときには図１３のステップ２４０に進み、浴室照明スイッチ６９Ｂがオフになっていないと判断したときにはステップＳ２６６に進む。
【０１２１】
ステップＳ２６６でミスト発生装置２の制御部２Ｂｃは、洗浄工程の運転時間が所定時間、例えば５分経過したか否かを判断する。洗浄工程の運転時間が所定時間経過したと判断したときには図１３に示すステップＳ２８０に進み、所定時間経過していないと判断したときにはステップＳ２６５に戻り、再度浴室照明スイッチ６９Ｂがオフになったか否かを検出する。このようにして、浴室洗浄モードの一連の動作が終了する。
【０１２２】
以上説明したように、本実施の形態では、吹出孔１１ｃが浴室１０１の壁面１０１ｃ方向に傾けられたミストノズル１１を回動させながら銀イオンミストＧＭを浴室１０１内に噴出する。そのため、噴出される銀イオンミストＧＭは、浴室１０１の壁面１０１ｃの四方に噴出、付着し、銀イオンミストＧＭが浴室１０１内の壁面１０１ｃ全体に万遍なくかけられることになる。従って、本実施の形態によれば、浴室１０１の壁面１０１全体に銀イオンミストＧＭを噴出、付着させた後に乾燥させることで、浴室１０１内を殺菌、抗菌することができ、カビ菌等の発生を防止することができる。
【０１２３】
また、浴室洗浄モードにおいて、浴室１０１内に人がいるときには、浴室１０１内に銀イオンミストＧＭが噴出されないため、人に銀イオンミストＧＭがかかることがない。また、浴室洗浄モード中に浴室に人が誤って入ったとしても、銀イオンミストＧＭの噴出が停止または噴出方向が停止されるため、人に銀イオンミストＧＭがかかることがない。
【０１２４】
［第２の実施の形態］
以下、本発明の第２の実施の形態につき、図面を参照して説明する。本実施の形態では、ミストＭを噴出するノズルユニットを２系統設ける点において上述した第１の実施の形態と異なる。なお、その他の湯水噴出空調装置１の構成等は、上述した第１の実施の形態と同一であるため、共通の構成要素には同一の符号を付し、詳細な説明は省略する。
【０１２５】
＜ミスト発生装置＞
図１５は、本発明の一実施形態に係る湯水噴出空調装置１の構成を示す図である。
ミスト発生装置２は、図１５に示すように、回動しながらミストＭを浴室１０１内に噴出するノズルユニット２Ａとスイング（揺動）しながらミストＭを浴室１０１内に噴出するノズルユニット２Ｄとを有する。これらのノズルユニット２Ａ，２Ｄは、浴室１０１の天井裏面の浴室空調装置３と電磁弁ユニット２Ｂとの間に配設される。また、ノズルユニット２Ａにはノズル配管１５ｂが接続され、ノズルユニット２Ｄにはノズル配管１５ｄが接続され、給湯装置４からの湯水がそれぞれに供給されるようになっている。
【０１２６】
（ノズルユニット）
図１６（Ａ）はノズルユニット２Ｄの下面の構成を示す図であり、図１６（Ｂ）はノズルユニット２Ｄの正面の構成を示す断面図であり、図１６（Ｃ）は側面の構成を示す断面図である。
【０１２７】
ノズルユニット２Ｄは、図１６（Ａ）〜（Ｃ）に示すように、ミストＭを噴出するミストノズル１１Ｄと、ミストノズル１１Ｄに湯水を供給する供給配管１２と、ミストノズル１１Ｄを保護するカバー部材５６と、ミストノズル１１Ｄを収容する筐体５０と、筐体５０の下面を覆うフロントパネル５４とを有する。
【０１２８】
筐体５０は、下端側が開口され、ミストノズル１１Ｄおよび供給配管１２を収容可能な程度の大きさを有する直方体状をなす箱体であって、開口端縁部には外方向に延びるフランジ部５０ａが設けられる。筐体５０の両側壁の下端部には軸受け部１１８が設けられており、水平方向に延びる供給配管１２の両端部がこれらの軸受け部１１８によって揺動可能に軸支されている。
【０１２９】
ミストノズル１１Ｄは、供給配管１２の下部に固着されたノズル本体１１ａと、ノズル本体１１ａの先端部に着脱自在に設けられたノズル吹出部１１ｂとを有する。本例ではノズル本体１１ａは、略直方体状をなし、供給配管１２の長手方向に沿って３個のノズル本体１１ａが等間隔に取り付けられる。ミストノズル１１Ｄは、供給配管１２を軸として所定方向に所定の範囲内でスイング（揺動）可能なように構成される（図１６（Ｃ）参照）。
【０１３０】
カバー部材５６は、３個のミストノズル１１Ｄの配列方向に沿って延びる断面弓状をなす平板部材であって、ミストノズル１１Ｄと対向した位置に穿設されたノズル孔５８にノズル吹出部１１ｂを嵌め込むようにしてミストノズル１１Ｄに着脱自在に取り付けられる。このとき、ミストノズル１１Ｄのノズル吹出部１１ｂはカバー部材５６のノズル孔５８から浴室１０１側に露出している。
【０１３１】
フロントパネル５４は、筐体５０の下面側の開口部を覆うような大きさを有し、筐体５０のフランジ部５０ａ（または天井面）に着脱可能に取り付けられる。このフロントパネル５４には開口部６６が穿設され、ミストノズル１１Ｄおよびカバー部材５６を筐体５０に装着したときに、開口部６６からミストノズル１１Ｄおよびカバー部材５６が浴室１０１側に露出するような構成とされる。
【０１３２】
また、ノズルユニット２Ｄは、第１のギア１０２および第２のギア１０３を介してミストノズル１１Ｄを所定方向にスイングさせるためのノズル駆動モータ１００を有する。ノズル駆動モータ１００は、筐体５０の軸受け部１１８の上方の側壁部に設置される。第１のギア１０２は、図１６（Ｃ）に示すように、略扇状をなし、ミストノズル１１Ｄおよび供給配管１２に固着されている。また、第２のギア１０３は、平面視円形状をなし、ノズル駆動モータ１００の回動軸１００ａの先端部に第１のギア１０２と噛み合うようにして取り付けられる。これにより、ノズル駆動モータ１００を駆動させることで第１および第２のギア１０２，１０３を介してミストノズル１１Ｄが所定方向にスイングするようになっている。
【０１３３】
（電磁弁ユニット）
次に、電磁弁ユニット２Ｂについて説明する。図１７は電磁弁ユニット２Ｂの構成を示す図である。排水配管１８は略Ｌ字状に形成され、その垂直部の分岐部１８ａからは供給配管１７に対して平行に延びる供給配管２３が取り付けられる。供給配管２３の他端部は供給配管接続部１６ｄに接続され、給水配管１５ａから供給される湯水がノズルユニット２Ｄに供給されるようになっている。また、供給配管２３には給湯の有無を切り替える電磁弁１９ｄが設けられ、さらに電磁弁１９ｄよりも下流側には銀イオンユニット６８Ｄが設けられる。
【０１３４】
ここで、供給配管２３に設ける電磁弁１９ｄの設置高さが、排水配管１８に設ける電磁弁１９ｃの設置高さよりも高くなるように、供給配管２３と排水配管１８の流路を構成することで、流路中に残水が滞留しないようにしている。
【０１３５】
図１８は、電磁弁ユニット２Ｂの動作を示す図である。
浴室洗浄モード時でノズルユニット２Ａから銀イオンミストＧＭを噴出させる場合には、図１８（Ａ）に示すように、電源部ユニット２Ｃにより、電磁弁１９ａと電磁弁１９ｂを開き、電磁弁１９ｃと電磁弁１９ｄを閉じ、銀イオンユニット６８Ａをオンとする。これにより、給湯装置４から供給された温水ＨＷが、供給配管１７を経由してノズルユニット２Ａに供給され、ミストノズル１１Ａが回動しながら銀イオンミストＧＭを浴室１０１に噴出する。
【０１３６】
浴室洗浄モード時でノズルユニット２Ｄから銀イオンミストＧＭを噴出させる場合には、図１８（Ｂ）に示すように、電源部ユニット２Ｃにより、電磁弁１９ａと電磁弁１９ｄを開き、電磁弁１９ｂと電磁弁１９ｃを閉じ、銀イオンユニット６８Ｄをオンとする。これにより、給湯装置４から供給された温水ＨＷが、供給配管２３を経由してノズルユニット２Ｄに供給され、ミストノズル１１Ｄがスイングしながら銀イオンミストＧＭを浴室１０１に噴出する。
【０１３７】
（ミスト操作部）
図１９は、ミスト発生装置２のミスト操作部５の一例を示す構成図である。
ミスト操作部５は、入浴ミストモードの運転および運転停止を選択するためのミストボタン１６０と、マイナスイオンモードの運転および運転停止を選択するためのマイナスイオンボタン１６８と、浴室洗浄モードの運転および運転停止を選択するための浴室洗浄ボタン１６６とを備えている。これらのボタン１６０，１６６，１６８の近傍には、これらのボタン１６０，１６６，１６８の選択時に発光（点灯）制御されるＬＥＤ等のランプ１６０ａ，１６６ａ，１６８ａが設けられる。
【０１３８】
また、ミスト操作部５は、入浴ミストモード、マイナスイオンモードまたは浴室洗浄モード時に、温風ＨＡの方向を調節するためのルーバボタン１６１と、ミストノズル１１Ｄをスイングさせるためのノズルスイングボタン１６３と、ミストノズル１１Ａを回動させるためのノズル回動ボタン１６２とを備えている。ルーバボタン１６１を押して浴室空調装置３の図示しない風向調整部材の温風ＨＡの方向を調節することで、ミストノズル１１Ａ，Ｄから噴出されるミストＭの噴出方向を調節することができる。
【０１３９】
＜浴室空調装置およびミスト発生装置の制御系＞
図２０は、浴室空調装置３およびミスト発生装置２の制御系の構成を示している。
制御部２Ｂｃにはミストノズル１１Ａを回動駆動するためのノズル駆動モータ１００Ａが接続される。ノズル駆動モータ１００Ａは、制御部２Ｂｃから供給される制御信号に基づいて駆動され、これによりミストノズル１１Ａが回動可能に制御される。
【０１４０】
また、制御部２Ｂｃにはミストノズル１１Ｄをスイング駆動するためのノズル駆動モータ１００Ｄが接続される。ノズル駆動モータ１００Ｄは、制御部２Ｂｃから供給される制御信号に基づいて駆動され、これによりミストノズル１１Ｄがスイング可能に制御される。
【０１４１】
以上説明したように、本実施の形態では、２系統のノズルユニット２Ａ，２Ｄを有するため、用途に合わせてノズルユニット２Ａ，２Ｄを使い分けることができる。例えば、浴室１０１の壁面１０１ｃを重点的に洗浄したい場合には回動型のノズルユニット２Ａを用いれば良いし、浴槽１０１ａや洗い場１０１ｂを重点的に洗浄したい場合にはスイング型のノズルユニット２Ｄを用いれば良い。もちろん、スイング型のノズルユニット２Ｄによっても、スイングの可動範囲を調節することにより、浴室１０１の壁面１０１ｃに銀イオンミストＧＭを噴出、付着させることができるので、ノズルユニット２Ｄを壁面１０１ｃの洗浄に用いても良い。また、ノズルユニット２Ａを浴室洗浄モード用とし、ノズルユニット２Ｄを入浴ミストモード用としても良い。さらには、スイング型のノズルユニット２Ｄのみの構成としても良い。
【０１４２】
［第３の実施の形態］
以下、本発明の第３の実施の形態につき、図面を参照して説明する。
上述したように、入浴ミストモード等においては、銀イオンユニット６８から銀イオンを湯水に溶出させ、ミストノズル１１から銀イオンミストＧＭを噴出させることで浴室１０１内の抗菌、殺菌等を行っている。銀イオンユニット６８では、銀棒からなる電極を水に浸漬させると共にこの電極に電圧を印加することで銀イオンを溶出、発生させている。そのため、銀棒の電極は溶出とともに消耗する。また、通常の入浴ミストモードにおいて、銀棒からなる電極に電圧を印加しない場合であっても、銀棒を水に浸漬させた状態では銀イオンが徐々に水に溶け込んでしまい、消耗の原因となる。そこで、以下の第３の実施の形態では、銀イオンミストＧＭを発生させない通常の入浴ミストモード時において、銀イオンユニット６８の銀棒の電極の消耗を抑えた電磁弁ユニット２Ｂの構成について説明する。
【０１４３】
なお、その他の湯水噴出空調装置１の構成等は、上述した第１および第２の実施の形態と同一であるため、共通の構成要素には同一の符号を付し、詳細な説明は省略する。また、ノズルユニットは、回動型（ノズルユニット２Ａ）、スイング型（ノズルユニット２Ｄ）の何れかを採用しても良いし、双方を採用しても良い。本例ではスイング型のノズルユニット２Ａを採用した例を説明する。
【０１４４】
（電磁弁ユニット）
電磁弁ユニット２Ｂの構成について説明する。図２１は、本発明の一実施形態に係る電磁弁ユニット２Ｂの構成を示す図である。
【０１４５】
供給配管（第１の配管）１７には上流側から電磁弁（第１の弁）１９ａおよび電磁弁（第２の弁）１９ｂが設けられ、電磁弁１９ｂの下流側には銀イオンユニット（銀イオン発生手段）６８が設けられる。さらに銀イオンユニット６８の下流側には、後述するバイパス配管２２を通過した湯水が銀イオンユニット６８側へ流れないようにするための逆止弁（第３の弁）２１が設けられる。
【０１４６】
排水配管（第２の配管）１８は、供給配管１７の分岐部１７ａから分岐して略Ｌ字状に形成され、その経路中には電磁弁（第４の弁）１９ｃが設けられる。また、排水配管１８の屈曲部１８ａからはさらに分岐したバイパス配管（第３の配管）２２が取り付けられる。バイパス配管２２は、略逆Ｌ字状に形成され、その垂直部２２ａの上端部が供給配管１７に設けられた逆止弁２１よりも下流側に接続される。また、バイパス配管２２の水平部２２ｂの経路中には給湯の有無を切り替える電磁弁（第５の弁）１９ｅが設けられる。
【０１４７】
図２２は、電磁弁ユニット２Ｂの動作を示す図である。  
入浴ミストモード時には、電源部ユニット２Ｃにより、電磁弁１９ａと電磁弁１９ｅを開き、電磁弁１９ｂと電磁弁１９ｃを閉じ、銀イオンユニット６８をオフとする。これにより、給湯装置４から供給された温水ＨＷが、供給配管１７およびバイパス配管２２を経由してノズルユニット２Ａに供給され、ノズルユニット２ＡからミストＭが浴室１０１内に噴出される。このとき、バイパス配管２２を経由して供給配管１７に流れる温水ＨＷは、逆止弁２１によって銀イオンユニット６８方向への流入が遮断され、ノズル配管１５ｂ方向にのみ流れる。
【０１４８】
銀イオンミストモード時には、電源部ユニット２Ｃにより、電磁弁１９ａと電磁弁１９ｂを開き、電磁弁１９ｃと電磁弁１９ｅを閉じ、銀イオンユニット６８をオンとする。これにより、給湯装置４から供給された温水ＨＷが、供給配管１７、銀イオンユニット６８および逆止弁２１を経由してノズルユニット２Ａに供給され、ノズルユニット２Ａから銀イオンミストＧＭが浴室１０１内に噴出される。
【０１４９】
排水時には、電源部ユニット２Ｃにより、電磁弁１９ａと電磁弁１９ｃを開き、電磁弁１９ｂと電磁弁１９ｅを閉じ、銀イオンユニット６８をオフとする。これにより、給湯装置４から供給された温水ＨＷが、供給配管１７および排水配管１８を経由してドレン配管１５ｃに排水される。
【０１５０】
（ミスト操作部）
図２３は、ミスト発生装置２のミスト操作部５の一例を示す構成図である。
ミスト操作部５は、入浴ミストモードの運転および運転停止を選択するためのミストボタン１６０と、銀イオンミストモードの運転および運転停止を選択するための銀イオンミストボタン１６４とを備えている。これらのボタン１６０，１６４の近傍には、これらのボタン１６０，１６４の選択時に発光（点灯）制御されるＬＥＤ等のランプ１６０ａ，１６４ａが設けられる。
【０１５１】
また、ミスト操作部５は、入浴ミストモードまたは銀イオンミストモード時に、ミストＭの噴出方向をミストノズル１１をスイングさせて調節するためのノズルスイングボタン１６３を備えている。ノズルスイングボタン１６３の近傍にはこのノズルスイングボタン１６３の選択時に発光するランプ１６３ａが設けられる。
【０１５２】
以上説明したように、本実施の形態によれば、銀イオンを噴出しない入浴ミストモード時には、銀イオンユニット６８が設置されていないバイパス配管２２を経由してノズルユニット２Ｄに湯水が供給される。そのため、銀イオンユニット６８の銀棒が湯水に浸ることもないため、銀棒が無駄に消耗されるのを抑制、防止できる。これにより、消耗品である銀棒の経済性の向上を図ることができる。
【０１５３】
［第４の実施の形態］
以下、本発明の第４の実施の形態につき、図面を参照して説明する。
上述したように、入浴ミストモード等においては、銀イオンユニット６８から銀イオンを湯水に溶出させ、ミストノズル１１から銀イオンミストＧＭを噴出させることで浴室１０１内の抗菌、殺菌等を行っている。銀イオンユニット２００では、銀棒からなる電極を水に浸漬させると共にこの電極に電圧を印加することで銀イオンを溶出、発生させている。そのため、銀棒の電極は溶出とともに消耗してしまうため、適切な時期に交換する必要がある。
【０１５４】
従来では、銀イオンユニット２００は、例えば浴室１０１の天井裏面に敷設された配管や天井裏に配設された電磁弁ユニット２Ｂ内部に設置していた。そのため、銀イオンユニット２００を交換する際には天井裏面で作業を行わなければならず、作業者に負担がかかってしまうと共に、取り付け時間を要してしまう。そこで、以下の第４の実施の形態では、銀イオンユニット２００の交換を容易かつ迅速に行うことが可能な湯水噴出空調装置１の構成、動作について説明する。なお、その他の湯水噴出空調装置１の構成等は、上述した第１の実施の形態と同一であるため、共通の構成要素には同一の符号を付し、詳細な説明は省略する。
【０１５５】
＜湯水噴出空調装置＞
図２４は、本発明の一実施形態に係る湯水噴出空調装置１の構成を示す図である。
ミスト発生装置２は、給湯装置４から供給される湯水に銀イオンを溶出する銀イオンユニット２００を有する。銀イオンユニット２００は、浴室１０１の側壁面に形成されたユニット収容部２１０に交換可能に収容されている。このユニット収容部２１０は、例えば、入浴者の手が容易に届く範囲内の高さに設けられる。
【０１５６】
（銀イオンユニット）
次に、銀イオンユニット２００およびユニット収容部２１０の構成について説明する。図２５は銀イオンユニット２００およびユニット収容部２１０の構成を示す斜視図である。
【０１５７】
ユニット収容部２１０は、浴室１０１の壁面１０１ｃに所定形状に切り欠かれた凹部であり、その開口部は銀イオンユニット２００が装着可能なように銀イオンユニット２００よりも大きな開口径を有する。ユニット収容部２１０内部の下端面２１０ａには、給湯側接続部（第１の接続部）２１２ａとノズル側接続部（第２の接続部）２１２ｂとが設けられる。給湯側接続部２１２ａは一端部が給湯装置４に接続された給水配管１５ａ１の他端部に接続され、給湯装置４から供給配管１５ａ１を介して湯水がユニット収容部２１０に収容される銀イオンユニット２００に供給される。一方、ノズル側接続部２１２ｂは一端部が電磁弁ユニット２Ｂ（ノズルユニット２Ａ）に接続された給水配管１５ａ２の他端部に接続され、上記銀イオンユニット２００に供給された湯水が給水配管１５ａ２を介して電磁弁ユニット２Ｂに供給される。これらの給湯側接続部２１２ａおよびノズル側接続部２１２ｂには例えばワンタッチ継ぎ手が用いられる。ユニット収容部２１０の側面上部には、図示しない電源に接続された後述するコネクタの挿込口２２０が設けられる。
【０１５８】
ユニット収容部２１０の開口端縁２１０ｂには、ヒンジ部２１８を介してユニット収容部２１０の開口部を閉塞するための蓋体２１４が取り付けられる。蓋体２１４は、ユニット収容部２１０の開口径よりも若干大きく形成されており、その内面側の周縁部にはその全周に亘って防水加工が施されたシール部材２１６が設けられる。
【０１５９】
銀イオンユニット２００は直方体の箱状をなす筐体２０２を有し、その筐体２０２の内部には湯水に浸漬するようにして図示しない銀棒からなる電極が設けられる。筐体２０２の下端面２０２ａには、ユニット収容部２１０に設けられた給湯側接続部２１２ａに着脱可能に装着される給湯側接続部（第３の接続部）２０４ａと、ノズル側接続部２１２ｂに着脱可能に装着されるノズル側接続部（第４の接続部）２０４ｂとが取り付けられている。銀イオンユニット２００の上端面には、筐体２０２内部の電極に接続されたリード線２０８が取り付けられ、このリード線２０８の先端部にはコネクタ２０６が取り付けられる。
【０１６０】
＜銀イオンユニットの交換方法＞
次に、銀イオンユニット２００の交換方法について説明する。
図２６（Ａ）は銀イオンユニット２００をユニット収容部２１０に装着した状態を示す図であり、図２６（Ｂ）は銀イオンユニット２００をユニット収容部２１０に装着して蓋を閉めた状態を示す図であり、図２６（Ｃ）は銀イオンユニット２００をユニット収容部２１０から取り外した状態を示す図である。
【０１６１】
図２６（Ａ）に示すように、銀イオンユニット２００をユニット収容部２１０に装着するときには、銀イオンユニット２００の給湯側接続部２０４ａをユニット収容部２１０の給湯側接続部２１２ａに装着し、銀イオンユニット２００のノズル側接続部２０４ｂをユニット収容部２１０のノズル側接続部２１２ｂに装着する。さらに、コネクタ２０６をユニット収容部２１０の挿込口２２０に挿し込む。最後に、図２６（Ｂ）に示すように、蓋体２１４を閉じてユニット収容部２１０の開口を閉塞する。蓋体２１４にはシール部材２１６が設けられるため、蓋体２１４と浴室１０１の側壁面との間に防水機能を有するシール部材２１６が介挿され、ユニット収容部２１０内部への水等の浸入が防止される。
【０１６２】
銀イオンユニット２００を交換するときには、図２６（Ｃ）に示すように、蓋体２１４を開き、銀イオンユニット２００の給湯側接続部２０４ａをユニット収容部２１０の給湯側接続部２１２ａから取り外し、銀イオンユニット２００のノズル側接続部２０４ｂをユニット収容部２１０のノズル側接続部２１２ｂから取り外す。さらに、コネクタ２０６をユニット収容部２１０の挿込口２２０から取り外す。ユニット収容部２１０の給湯側接続部２１２ａおよびノズル側接続部２１２ｂとして用いられるワンタッチ継ぎ手は止水構造を有するため、銀イオンユニット２００を取り外したときでも、給水配管１５ａ１，１５ａ２からの水漏れすることはない。
【０１６３】
本実施の形態によれば、ユニット収容部２１０は、浴室１０１の入浴者の手の届く低い位置に設けられると共に、銀イオンユニット２００をワンタッチで取り外すことが可能な構成を有するため、銀イオンユニット２００の交換を容易かつ迅速に行うことができる。
【０１６４】
［第５の実施の形態］
以下、本発明の第５の実施の形態につき、図面を参照して説明する。  
本実施の形態では、湯水噴出空調装置１のマイナスイオンモードについて説明する。なお、湯水噴出空調装置１の構成等は、上述した第１〜４の実施の形態と同一であるため、共通の構成要素には同一の符号を付し、詳細な説明は省略する。
【０１６５】
図２７は、湯水噴出空調装置１のマイナスイオンモードにおける動作を示すフローチャートである。なお、本例では上記第２の実施の形態で説明した湯水噴出空調装置１を用いた場合について説明する。
【０１６６】
ステップＳ４００でミスト発生装置２の制御部２Ｂｃは、ユーザによってミスト操作部５のマイナスイオンボタン１６８（図１９参照）が押されたか否かを判断する。マイナスイオンボタン１６８が押されたと判断したときにはステップＳ４１０に進み、押されていないと判断したときにはマイナスイオンボタン１６８の押下の有無を再度検出する。
【０１６７】
ステップＳ４１０でミスト発生装置２の制御部２Ｂｃは、ミストノズル２Ａを回動させながら、ミストノズル２ＡからミストＭを浴室１０１の壁面１０１ｃに向かって噴出させる（図１５参照）。ミストＭの水勢は、ミストＭが側壁１０１ｃに衝突したときにミストＭが粉砕される程度に調節する。ミストＭは、浴室１０１の側壁１０１ｃに衝突すると、その衝撃によって粉砕（微細化）されて電気二重層が形成される。このとき、粉砕された水滴の外側には空気のプラスイオンが帯電するため、その水滴に触れている空気がマイナスに帯電されて、浴室１０１内にマイナスイオンが発生する。
【０１６８】
また、ミスト発生装置２の制御部２Ｂｃは、浴室空調装置３の吹出口４１からフロントパネル２６の吹出グリル４６を介して浴室１０１内に温風ＨＡを吹き出させる。このとき、浴室空調装置３の図示しない風向調整部材であるルーバの傾きを調節して温風ＨＡの風向を調節し、この温風ＨＡにミストＭを乗せることで、ミストＭの噴出方向を調節し、ミストＭが浴室１０１の側壁１０１ｃに衝突し易くなるようにしても良い。
【０１６９】
ステップＳ４２０でミスト発生装置２の制御部２Ｂｃは、ユーザによってノズル回動ボタン１６３が押されたか否かを判断する。ノズル回動ボタン１６３が押されたと判断したときにはステップＳ４３０に進み、押されていないと判断したときにはステップＳ４４０に進む。
【０１７０】
ステップＳ４３０でミスト発生装置２の制御部２Ｂｃは、ミストノズル１１が回動しているときにはミストノズル１１の回動を所定位置で停止させ、ミストノズル１１の回動が停止しているときにはミストノズル１１を回動させる。そして、ステップＳ４２０に戻り、再度、ノズル回動ボタン１６３の押下の有無を検出する。本例では、ミストノズル１１は回動しているため（ステップＳ４１０）、ノズル回動ボタン１６３の押下により停止する。ミストノズル１１を所定位置で停止させてミストＭを噴出させることで、局所的（例えば浴槽１０１ａや洗い場１０１ｂ等）にマイナスイオンを発生させることができる。
【０１７１】
ステップＳ４４０でミスト発生装置２の制御部２Ｂｃは、マイナスイオンボタン１６８（図１９参照）が押されたか否かを判断する。マイナスイオンボタン１６８が押されたと判断したときにはステップＳ４５０に進み、押されていないと判断したときにはステップＳ４２０に戻り、ノズル回動ボタン１６２の押下の有無を再度検出する。
【０１７２】
ステップＳ４５０でミスト発生装置２の制御部２Ｂｃは、ミストノズル１１からのミストＭの噴出およびミストノズル１１の回動を停止させると共に、浴室空調装置３の吹出口４１からの温風ＨＡの吹き出しを停止させる。このようにして、マイナスイオンモードの一連の動作が終了する。なお、上述した例では、ノズルユニット２Ａを用いた場合を説明したが、ノズルユニット２Ｄによりミストノズル１１ＤをスイングさせながらミストＭを壁面１０１ｃに衝突させることでマイナスイオンを発生させても良い。
【０１７３】
従来では、マイナスイオンを発生させるために湯水噴出空調装置１内部で湯水を微細化させていた。そのため、湯水噴出空調装置１内部にはマイナスイオン発生時の水垂れを受けるドレンパンやドレン排水管を設置する必要があった。これに対し、本実施の形態では、ミストＭを浴室Ｍの壁面１０１ｃに衝突させることによりマイナスイオンを発生させるため、マイナスイオン発生時に生じる水は側壁１０１ｃを伝って浴室１０１の床面に設けられた排水口から排出されることになる。従って、本実施の形態によれば、水垂れを受けるドレンパンやドレン排水管を湯水噴出空調装置１内部に設置する必要がなく、簡易な構成によりマイナスイオンを発生させることができる。また、浴室１０１の壁面１０１ｃに噴出されるミストＭは銀イオンを含むため、側壁１０１ｃに沿って水垂れしたとしても、水垢等が壁面１０１ｃに付着することもない。
【図面の簡単な説明】
【０１７４】
【図１】本発明の一実施形態に係る湯水噴出空調装置の構成を示す図である。
【図２】浴室空調装置の構成を示す断面図である。
【図３】浴室空調装置の構成を示す分解斜視図である。
【図４】回動型のノズルユニットの構成を示す図である。
【図５】電磁弁ユニットの構成を示す図である。
【図６】電磁弁ユニットの動作を示す図である（その１）。
【図７】電磁弁ユニットの動作を示す図である（その２）。
【図８】ミスト操作部の構成の一例を示す平面図である。
【図９】主操作部の構成の一例を示す平面図である。
【図１０】湯水噴出空調装置の制御系の一例を示す機能ブロック図である。
【図１１】湯水噴出空調装置の動作例を示すフローチャートである（その１）。
【図１２】湯水噴出空調装置の動作例を示すフローチャートである（その２）。
【図１３】湯水噴出空調装置の動作例を示すフローチャートである（その３）。
【図１４】湯水噴出空調装置の動作例を示すフローチャートである（その４）。
【図１５】本発明の他の実施形態に係る湯水噴出空調装置の構成を示す図である。
【図１６】スイング型のノズルユニットの構成を示す図である。
【図１７】電磁弁ユニットの構成を示す図である。
【図１８】電磁弁ユニットの動作を示す図である（その１）。
【図１９】ミスト操作部の構成の一例を示す平面図である。
【図２０】湯水噴出空調装置の制御系の一例を示す機能ブロック図である。
【図２１】本発明の他の実施形態に係る電磁弁ユニットの構成を示す図である。
【図２２】電磁弁ユニットの動作を示す図である。
【図２３】ミスト操作部の構成の一例を示す平面図である。
【図２４】本発明の他の実施形態に係る湯水噴出空調装置の構成を示す図である。
【図２５】銀イオンユニットおよびユニット収容部の構成を示す斜視図である。
【図２６】銀イオンユニットの交換方法を説明するための平面図である。
【図２７】湯水噴出空調装置のマイナスミストモードにおける動作例を示すフローチャートである。
【符号の説明】
【０１７５】
１…湯水噴出空調装置、  ２…ミスト発生装置、  ２Ａ，２Ｄ…ノズルユニット、  ２Ｂ…電磁弁ユニット、  ３…浴室空調装置、  ４…給湯装置、  ８…制御部、  １１，１１Ｄ…ミストノズル、  １５ａ…給水配管、  １５ｂ…ノズル配管、  １５ｃ…ドレン配管、  １７，２３…供給配管、  １７ａ…分岐部、  １８…排水配管、  １９ａ，１９ｂ，１９ｃ,１９ｄ，１９ｅ…電磁弁、  ２１…逆止弁、  ２２…バイパス管、  ６８…銀イオンユニット、  １０１…浴室、  １０１ｃ…壁面、  ２００…銀イオンユニット
２０４ａ…給湯側接続部、  ２０４ｂ…ノズル側接続部、  ２１０…ユニット収容部、  ２１２ａ…給湯側接続部、  ２１２ｂ…ノズル側接続部、  Ｍ…ミスト、  ＧＭ…銀イオンミスト、  ＨＡ…温風、  ＨＷ…温水、  ＲＷ…残水
【図１】
0005104100.tif 000002
【図２】
0005104100.tif 000003
【図３】
0005104100.tif 000004
【図４】
0005104100.tif 000005
【図５】
0005104100.tif 000006
【図６】
0005104100.tif 000007
【図７】
0005104100.tif 000008
【図８】
0005104100.tif 000009
【図９】
0005104100.tif 000010
【図１０】
0005104100.tif 000011
【図１１】
0005104100.tif 000012
【図１２】
0005104100.tif 000013
【図１３】
0005104100.tif 000014
【図１４】
0005104100.tif 000015
【図１５】
0005104100.tif 000016
【図１６】
0005104100.tif 000017
【図１７】
0005104100.tif 000018
【図１８】
0005104100.tif 000019
【図１９】
0005104100.tif 000020
【図２０】
0005104100.tif 000021
【図２１】
0005104100.tif 000022
【図２２】
0005104100.tif 000023
【図２３】
0005104100.tif 000024
【図２４】
0005104100.tif 000025
【図２５】
0005104100.tif 000026
【図２６】
0005104100.tif 000027
【図２７】
0005104100.tif 000028